【手続補正書】
【提出日】平成20年7月31日(2008.7.31)
【手続補正１】
【補正対象書類名】明細書
【補正対象項目名】発明の名称
【補正方法】変更
【補正の内容】
【発明の名称】ヒートポンプ給湯器
【手続補正２】
【補正対象書類名】明細書
【補正対象項目名】特許請求の範囲
【補正方法】変更
【補正の内容】
【特許請求の範囲】
【請求項１】  圧縮機、放熱器、減圧器、および蒸発器を接続した冷凍サイクルを備え、
前記冷凍サイクルの内部に、冷媒として、（１）プロパン、およびプロピレンの内の少なくとも一つと、（２）エタンとを含む混合作動流体であって、前記エタンは、実質的に５０重量％以上である混合作動流体を循環させることにより、前記放熱器において水を加熱するヒートポンプ給湯器。
【請求項２】  前記エタンは、実質的に６０重量％以下である請求項１記載のヒートポンプ給湯器。
【請求項３】  圧縮機、放熱器、減圧器、および蒸発器を接続した冷凍サイクルを備え、
前記冷凍サイクルの内部に、冷媒として、（１）シクロプロパン、イソブタン、およびブタンの内の少なくとも一つと、（２）ジフルオロメタンとを含む混合作動流体であって、前記ジフルオロメタンは、実質的に７０重量％以上である混合作動流体を循環させることにより、前記放熱器において水を加熱するヒートポンプ給湯器。
【請求項４】  前記ジフルオロメタンは、実質的に９０重量％以下である請求項３記載のヒートポンプ給湯器。
【請求項５】  動作時における高圧側圧力は、前記混合作動流体の臨界圧力以上である請求項１から４の何れかに記載のヒートポンプ給湯器。
【請求項６】  鉱油および／またはアルキルベンゼン油を圧縮機用潤滑油として用いる請求項１から４の何れかに記載のヒートポンプ給湯器。
【手続補正３】
【補正対象書類名】明細書
【補正対象項目名】０００１
【補正方法】変更
【補正の内容】
【０００１】
【発明の属する技術分野】
本発明は、たとえば冷凍サイクル装置用冷媒として利用される混合作動流体を用いるヒートポンプ給湯器に関する。
【手続補正４】
【補正対象書類名】明細書
【補正対象項目名】００１０
【補正方法】変更
【補正の内容】
【００１０】
本発明は、上記従来のこのような課題を考慮し、たとえば、ヒートポンプ給湯器などの高温加熱用途に用いられる冷凍サイクル装置により適した混合作動流体を用いるヒートポンプ給湯器を提供することを目的とするものである。
【手続補正５】
【補正対象書類名】明細書
【補正対象項目名】００１１
【補正方法】変更
【補正の内容】
【００１１】
【課題を解決するための手段】  第一の本発明（請求項１に対応）は、圧縮機、放熱器、減圧器、および蒸発器を接続した冷凍サイクルを備え、
前記冷凍サイクルの内部に、冷媒として、（１）プロパン、およびプロピレンの内の少なくとも一つと、（２）エタンとを含む混合作動流体であって、前記エタンは、実質的に５０重量％以上である混合作動流体を循環させることにより、前記放熱器において水を加熱するヒートポンプ給湯器である。
【手続補正６】
【補正対象書類名】明細書
【補正対象項目名】００１２
【補正方法】変更
【補正の内容】
【００１２】
第二の本発明（請求項２に対応）は、前記エタンは、実質的に６０重量％以下である第一の本発明のヒートポンプ給湯器である。
【手続補正７】
【補正対象書類名】明細書
【補正対象項目名】００１３
【補正方法】変更
【補正の内容】
【００１３】
第三の本発明（請求項３に対応）は、圧縮機、放熱器、減圧器、および蒸発器を接続した冷凍サイクルを備え、
前記冷凍サイクルの内部に、冷媒として、（１）シクロプロパン、イソブタン、およびブタンの内の少なくとも一つと、（２）ジフルオロメタンとを含む混合作動流体であって、前記ジフルオロメタンは、実質的に７０重量％以上である混合作動流体を循環させることにより、前記放熱器において水を加熱するヒートポンプ給湯器である。
【手続補正８】
【補正対象書類名】明細書
【補正対象項目名】００１４
【補正方法】変更
【補正の内容】
【００１４】
第四の本発明（請求項４に対応）は、前記ジフルオロメタンは、実質的に９０重量％以下である第三の本発明のヒートポンプ給湯器である。
【手続補正９】
【補正対象書類名】明細書
【補正対象項目名】００１５
【補正方法】削除
【補正の内容】
【手続補正１０】
【補正対象書類名】明細書
【補正対象項目名】００１６
【補正方法】変更
【補正の内容】
【００１６】
第五の本発明（請求項５に対応）は、動作時における高圧側圧力は、前記混合作動流体の臨界圧力以上である第一から四の何れかの本発明のヒートポンプ給湯器である。
【手続補正１１】
【補正対象書類名】明細書
【補正対象項目名】００１７
【補正方法】変更
【補正の内容】
【００１７】
第六の本発明（請求項６に対応）は、鉱油および／またはアルキルベンゼン油を圧縮機用潤滑油として用いる第一から四の何れかの本発明のヒートポンプ給湯器である。
【手続補正１２】
【補正対象書類名】明細書
【補正対象項目名】００６６
【補正方法】変更
【補正の内容】
【００６６】
また、暖房時に関する冷房時との主な相違点は、四方弁１３を切り替えて、室内機６ａ、６ｂ及び室外熱交換器１４における冷媒の流れる方向を逆転させる点と、暖房給湯運転の際に、空調用電磁弁１２と給湯用電磁弁１１が共に開状態である点等であり、その他の動作内容は、基本的には上記の場合とほぼ同様である。
【手続補正１３】
【補正対象書類名】明細書
【補正対象項目名】００７０
【補正方法】変更
【補正の内容】
【００７０】
さらに、ＣＯ２単一冷媒やジフルオロメタン（Ｒ３２）を冷媒に用いた場合には、冷媒がアルキルベンゼン油とほとんど相溶性がないため、特に暖房運転時の蒸発器として作用する室外熱交換器１４の出口から、圧縮機１０の吸入管において、圧縮機用潤滑油の粘度が最高となり、圧縮機用潤滑油が配管中に滞留して圧縮機１０に帰還しなくなるものであった。このことは、暖房運転時の外気温度が低くなるにつれて顕著となったが、本実施の形態のようにイソブタン（Ｒ６００ａ）を混合すると、潤滑油が圧縮機１０に帰還しだし、圧縮機１０の油面が上昇することが確認された。このことは、ジフルオロメタン（Ｒ３２）と共沸様混合物を作るイソブタン（Ｒ６００ａ）がアルキルベンゼン油と相溶し、かつ粘度の低いイソブタン（Ｒ６００ａ）が低温でのアルキルベンゼン油の粘度を低下させたことが影響していると考えられる。
【手続補正１４】
【補正対象書類名】明細書
【補正対象項目名】００７７
【補正方法】変更
【補正の内容】
【００７７】
このように、たとえば、エタンとプロパン、または、プロピレンからなり、略５０重量％以上のエタン、かつ望ましくは略６０重量％以下のエタンを含む混合作動流体は、本発明に関連する発明である。
【手続補正１５】
【補正対象書類名】明細書
【補正対象項目名】００７８
【補正方法】変更
【補正の内容】
【００７８】
また、たとえば、ジフルオロメタンとシクロプロパン、または、イソブタン、または、ブタンからなり、略７０重量％以上のジフルオロメタン、かつ望ましくは略９０重量％以下のジフルオロメタンを含む混合作動流体は、本発明に関連する発明である。
【手続補正１６】
【補正対象書類名】明細書
【補正対象項目名】００７９
【補正方法】変更
【補正の内容】
【００７９】
また、たとえば、上述の混合作動流体を用いる冷凍サイクル装置は、本発明に関連する発明である。
【手続補正１７】
【補正対象書類名】明細書
【補正対象項目名】００８０
【補正方法】変更
【補正の内容】
【００８０】
また、たとえば、高圧側圧力が混合作動流体の臨界圧力以上で動作することを特徴とする上述の冷凍サイクル装置は、本発明に関連する発明である。
【手続補正１８】
【補正対象書類名】明細書
【補正対象項目名】００８１
【補正方法】変更
【補正の内容】
【００８１】
また、たとえば、上述の混合作動流体と鉱油および／またはアルキルベンゼン油の圧縮機用潤滑油を用いる冷凍サイクル装置は、本発明に関連する発明である。
【手続補正１９】
【補正対象書類名】明細書
【補正対象項目名】００８８
【補正方法】変更
【補正の内容】
【００８８】
【発明の効果】
以上述べたところから明らかなように、本発明は、高温加熱用途に用いられる冷凍サイクル装置により適した冷媒を用いるヒートポンプ給湯器を得ることができるという長所を有する。